(57)【要約】【課題】簡易な構成で小型化・薄型化が図れると共に、耐久性も確保できるレンズカバーを備えたプロジェクターを提供する。【解決手段】プロジェクター１は、投射レンズ１５から投射される光束を通過させる光束通過用開口部１１１を有する外装筐体（筐体１０）と、光束通過用開口部１１１を開閉するレンズカバー２と、を備え、レンズカバー２は、スライド移動を行い、光束通過用開口部１１１を、開口状態と閉塞状態とにするレンズカバー部材３と、レンズカバー部材３のスライド移動を案内する案内部材５と、を備え、案内部材５は、スライド移動の方向に沿って設ける板状ばね５０２，５０３を備え、レンズカバー部材３は、開口状態および閉塞状態で板状ばね５０２，５０３に係合する係合部３０６を備えている。【選択図】図２
2014186202.tif 000002
【特許請求の範囲】
【請求項１】
光源装置と、当該光源装置から射出された光束を画像情報に応じて変調する光変調装置と、当該光変調装置で変調された光束を投射する投射レンズと、を備えるプロジェクターであって、
前記光源装置、前記光変調装置、および前記投射レンズを内部に収納すると共に、前記投射レンズから投射される前記光束を通過させる光束通過用開口部を有する外装筐体と、
前記光束通過用開口部を開閉するレンズカバーと、を備え、
前記レンズカバーは、
スライド移動を行い、前記光束通過用開口部を、開口状態と閉塞状態とにするレンズカバー部材と、
前記レンズカバー部材の前記スライド移動を案内する案内部材と、を備え、
前記案内部材と前記レンズカバー部材とのいずれか一方は、前記スライド移動の方向に沿って設ける板状ばねを備え、
前記案内部材と前記レンズカバー部材とのいずれか他方は、前記開口状態および前記閉塞状態で前記板状ばねに係合する係合部を備えていることを特徴とするプロジェクター。
【請求項２】
請求項１に記載のプロジェクターであって、
前記板状ばねは２つ備えられ、前記係合部は１つ備えられ、
一方の前記板状ばねは、前記開口状態で前記係合部と係合し、他方の前記板状ばねは、前記閉塞状態で前記係合部と係合することを特徴とするプロジェクター。
【請求項３】
請求項１または請求項２に記載のプロジェクターであって、
前記板状ばねは、前記案内部材または前記レンズカバー部材に一体で形成されていることを特徴とするプロジェクター。
【請求項４】
請求項１〜請求項３のいずれか一項に記載のプロジェクターであって、
前記案内部材は、前記レンズカバー部材よりも内側で、当該レンズカバー部材と一定の隙間を有して重なるように設置され、
前記板状ばねは、前記案内部材に設置され、先端部に凸部を有し、
前記係合部は、前記板状ばねよりも内側となるように前記レンズカバー部材に設置され、前記凸部に係合する係合凸部を有していることを特徴とするプロジェクター。
【請求項５】
請求項１〜請求項４のいずれか一項に記載のプロジェクターであって、
前記レンズカバー部材は、前記スライド移動する際に把持される把持部を備え、
前記外装筐体は、前記把持部を露出させて前記スライド移動を可能とするスライド用開口部を備えていることを特徴とするプロジェクター。
【請求項６】
請求項４または請求項５に記載のプロジェクターであって、
前記レンズカバー部材および/または前記案内部材は、前記案内部材と前記レンズカバー部材との前記隙間を詰める突起部を有していることを特徴とするプロジェクター。
【請求項７】
請求項１〜請求項６のいずれか一項に記載のプロジェクターであって、
前記案内部材は、前記スライド移動の方向に平行となる一方の側部に沿って設置される溝部と、前記一方の側部に対向する他方の側部に沿って設置される面部と、を備え、
前記レンズカバー部材は、前記溝部に案内される片部と、前記面部に案内される側部と、を備えていることを特徴とするプロジェクター。
【請求項８】
請求項１〜請求項７のいずれか一項に記載のプロジェクターであって、
前記レンズカバー部材は、
前記開口状態では、前記外装筐体に設置される当接部に当接して、前記係合部と一方の前記板状ばねとで前記開口状態を維持し、
前記閉塞状態では、前記案内部材に設置される当接部に当接して、前記係合部と他方の前記板状ばねとで前記閉塞状態を維持することを特徴とするプロジェクター。
【請求項９】
請求項１〜請求項８のいずれか一項に記載のプロジェクターであって、
前記案内部材には、スイッチ部材が設置され、
前記レンズカバー部材には、前記スイッチ部材と当接する片部が備えられていることを特徴とするプロジェクター。
【発明の詳細な説明】
【技術分野】
【０００１】
本発明は、プロジェクターに関する。
【背景技術】
【０００２】
従来、光源装置から射出された光束を画像情報に応じて変調し、変調した光束を投射レンズで投射するプロジェクターが知られている。このようなプロジェクターには、投射レンズの保護等を目的として、投射レンズの先端部を覆うようにレンズカバーが設けられている。
【０００３】
特許文献１では、外装筐体に、投射光学装置から投射する光束を通過させる光束通過用開口部が設けられ、この光束通過用開口部の開口状態を、スライド移動して閉塞状態とするレンズカバー部を具備する遮蔽部材を備え、遮蔽部材には、外装筐体側に設けられた案内面と相対的に移動可能で、弾性を有する部材を圧縮変形させた状態で、一端が遮蔽部材の一部に支持され他端が案内面に当接する遮蔽位置案内部材が設けられる構成が開示されている。
【先行技術文献】
【特許文献】
【０００４】
【特許文献１】特開２００８−２６８７１６号公報
【発明の概要】
【発明が解決しようとする課題】
【０００５】
しかし、特許文献１では、遮蔽位置案内部材が弾性部材と転動部材とで構成され、具体的には、弾性部材としてのコイルばねと、転動部材としてのスチールボールとで構成されている。このような構成は、遮蔽位置案内部材を含むレンズカバーの構成や組み立てを複雑化する要因となる。また、遮蔽位置案内部材は、スライド移動の方向に対して垂直方向に設置されるため、遮蔽位置案内部材を設置するスペースが必要となり、遮蔽位置案内部材の小型化・薄型化の面での改良が必要となる。
従って、簡易な構成で小型化・薄型化が図れると共に、耐久性も確保できるレンズカバーを備えたプロジェクターが要望されていた。
【課題を解決するための手段】
【０００６】
本発明は、上述した課題の少なくとも一部を解決するためになされたものであり、以下の形態または適用例として実現することが可能である。
【０００７】
［適用例１］本適用例に係るプロジェクターは、光源装置と、光源装置から射出された光束を画像情報に応じて変調する光変調装置と、光変調装置で変調された光束を投射する投射レンズと、を備えるプロジェクターであって、光源装置、光変調装置、および投射レンズを内部に収納すると共に、投射レンズから投射される光束を通過させる光束通過用開口部を有する外装筐体と、光束通過用開口部を開閉するレンズカバーと、を備え、レンズカバーは、スライド移動を行い、光束通過用開口部を、開口状態と閉塞状態とにするレンズカバー部材と、レンズカバー部材のスライド移動を案内する案内部材と、を備え、案内部材とレンズカバー部材とのいずれか一方は、スライド移動の方向に沿って設ける板状ばねを備え、案内部材とレンズカバー部材とのいずれか他方は、開口状態および閉塞状態で板状ばねに係合する係合部を備えていることを特徴とする。
【０００８】
このようなプロジェクターによれば、案内部材とレンズカバー部材とのいずれか一方に、スライド移動の方向に沿って設ける板状ばねを備えることにより、従来のように、スライド移動の方向に対して垂直方向に遮蔽位置案内部材を設置する必要がないため、簡易な構成で小型化が可能なレンズカバーを実現できる。また、板状ばねが、スライド移動の方向に沿って設けられるため、案内部材またはレンズカバー部材が板状ばねを備えていても薄型化できることで、レンズカバーの薄型化を図ることができる。そして、案内部材とレンズカバー部材とのいずれか他方に、開口状態および閉塞状態で板状ばねに係合する係合部を備えることにより、簡易な構成で操作性を確保できるレンズカバーを実現できる。
【０００９】
［適用例２］上記適用例に係るプロジェクターにおいて、板状ばねは２つ備えられ、係合部は１つ備えられ、一方の板状ばねは、開口状態で係合部と係合し、他方の板状ばねは、閉塞状態で係合部と係合することが好ましい。
【００１０】
このようなプロジェクターによれば、２つの板状ばねのそれぞれは、開口状態と閉塞状態とのいずれか一方の状態となる場合にのみ、係合部と係合することになる。これにより、例えば、１つの板状ばねを使用して、開口状態と閉塞状態とになるたびに係合する構成に比べて、係合の回数を減らすことができる。従って、板状ばねの耐久性を確保し易くなる。
【００１１】
［適用例３］上記適用例に係るプロジェクターにおいて、板状ばねは、案内部材またはレンズカバー部材に一体で形成されていることが好ましい。
【００１２】
このようなプロジェクターによれば、板状ばねを別途設ける必要がなく、板状ばねを簡易に構成することができ、更に小型化・薄型化を図ることができる。
【００１３】
［適用例４］上記適用例に係るプロジェクターにおいて、案内部材は、レンズカバー部材よりも内側で、レンズカバー部材と一定の隙間を有して重なるように設置され、板状ばねは、案内部材に設置され、先端部に凸部を有し、係合部は、板状ばねよりも内側となるようにレンズカバー部材に設置され、凸部に係合する係合凸部を有していることが好ましい。
【００１４】
このようなプロジェクターによれば、案内部材に設置される板状ばねの凸部に、レンズカバー部材に設置される係合部の係合凸部が係合する。この構成により、板状ばねと係合部とを簡易な構成とすることができると共に小型化・薄型化を図ることができる。併せて、案内部材は、レンズカバー部材よりも内側で、レンズカバー部材と一定の隙間を有して重なるように設置されることにより、レンズカバーの薄型化を図ることができる。また、係合部は、板状ばねよりも内側となるようにレンズカバー部材に設置されることで、外装筐体の内側から板状ばねに係合するため、係合部と板状ばねとが係合する際に、係合部に押されてレンズカバー部材が外側へ移動し易くなることを抑制することができる。
【００１５】
［適用例５］上記適用例に係るプロジェクターにおいて、レンズカバー部材は、スライド移動する際に把持される把持部を備え、外装筐体は、把持部を露出させてスライド移動を可能とするスライド用開口部を備えていることが好ましい。
【００１６】
このようなプロジェクターによれば、ユーザーは、把持部を把持してレンズカバーを開口状態と閉塞状態とにするためのスライド操作を容易に行うことができる。
【００１７】
［適用例６］上記適用例に係るプロジェクターにおいて、レンズカバー部材および/または案内部材は、案内部材とレンズカバー部材との隙間を詰める突起部を有していることが好ましい。
【００１８】
このようなプロジェクターによれば、板状ばねと係合部とが係合する際に、係合部に押されて案内部材が外側へ移動し易くなることを抑制することができるため、レンズカバーの操作性、特に、係合する際の操作感（クリック感）を向上させることができる。
【００１９】
［適用例７］上記適用例に係るプロジェクターにおいて、案内部材は、スライド移動の方向に平行となる一方の側部に沿って設置される溝部と、一方の側部に対向する他方の側部に沿って設置される面部と、を備え、レンズカバー部材は、溝部に案内される片部と、面部に案内される側部と、を備えていることが好ましい。
【００２０】
このようなプロジェクターによれば、レンズカバー部材は、案内部材の溝部に片部が案内され、面部に側部が案内されるという簡易な構成により、スライド移動を行うことができる。
【００２１】
［適用例８］上記適用例に係るプロジェクターにおいて、レンズカバー部材は、開口状態では、外装筐体に設置される当接部に当接して、係合部と一方の板状ばねとで開口状態を維持し、閉塞状態では、案内部材に設置される当接部に当接して、係合部と他方の板状ばねとで閉塞状態を維持することが好ましい。
【００２２】
このようなプロジェクターによれば、レンズカバー部材が開口状態と閉塞状態とを維持することを簡易な構成で実現することができる。
【００２３】
［適用例９］上記適用例に係るプロジェクターにおいて、案内部材には、スイッチ部材が設置され、レンズカバー部材には、スイッチ部材と当接する片部が備えられていることが好ましい。
【００２４】
このようなプロジェクターによれば、レンズカバー部材をスライド移動させることにより、片部をスイッチ部材に確実に当接させること、または、確実に当接を解除させることができる。これにより、例えば、開口状態と、閉塞状態を含む開口状態以外の状態と、を確実に検出することができる。または、開口状態と閉塞状態とを確実に検出することができる。
【図面の簡単な説明】
【００２５】
【図１】実施形態に係るプロジェクターの外観を示す斜視図。
【図２】レンズカバーを示す斜視図。
【図３】レンズカバーを示す分解斜視図。
【図４】レンズカバーを示す分解斜視図。
【図５】レンズカバーが筐体に設置された状態を示す斜視図。
【図６】レンズカバー（レンズカバー部材）のスライド移動の状態を示す正面図。
【図７】レンズカバー部材のスライド移動を説明する図。
【図８】案内部材の板状ばねにレンズカバー部材の係合部が係合する状態を示す図。
【発明を実施するための形態】
【００２６】
以下、実施形態を図面に基づいて説明する。
〔実施形態〕
【００２７】
図１は、実施形態に係るプロジェクター１の外観を示す斜視図であり、図１（ａ）は、レンズカバー２の開口状態を示す斜視図であり、図１（ｂ）は、レンズカバー２の閉塞状態を示す斜視図である。なお、図１では、プロジェクター１のレンズカバー２周りの部分的な外観を示している。
【００２８】
図１を含め、以降に示す図では、説明の便宜上、ＸＹＺ直交座標系を併記して、適宜使用する。ＸＹＺ直交座標系は、プロジェクター１からの画像光の投射方向をＺ軸（＋Ｚ方向）とする。そして、Ｚ軸に直交し、水平（左右）方向をＸ軸（プロジェクター１の前面１０ｃに向かって右方向が＋Ｘ方向）とし、Ｚ軸とＸ軸とに直交し、鉛直（上下）方向をＹ軸（プロジェクター１の前面１０ｃに向かって上方向を＋Ｙ方向）とする。
【００２９】
プロジェクター１は、光源装置や光変調装置（いずれも図示省略）や投射レンズ１５等の光学系を備えている。そして、プロジェクター１は、外部から入力される画像情報に応じて、光源装置から射出された光束を光変調装置で変調し、変調された光束（画像光）を投射レンズ１５で拡大してスクリーン等に投射する。なお、プロジェクター１の光学系の構成の説明は省略する。
【００３０】
図１に示すように、プロジェクター１は、概直方体となる外装筐体としての筐体１０で覆われている。筐体１０内部には、光学系、電気回路系、冷却系等を構成する部材を収容している。筐体１０は、上ケース１１と下ケース１２とで概ね構成されている。上ケース１１は、筐体１０の上面１０ａ、前面１０ｃ、左右面１０ｄの上側を構成している。下ケース１２は、筐体１０の下面１０ｂ、左右面１０ｄの下側を構成している。
【００３１】
図１（ａ）に示すように、筐体１０（上ケース１１）の前面１０ｃには、内部に収容する投射レンズ１５に相対して、投射レンズ１５から投射される光束を通過させる光束通過用開口部１１１を備えている。また、上ケース１１の前面１０ｃの内側（前面１０ｃと投射レンズ１５との間）には、光束通過用開口部１１１を開閉するレンズカバー２を備えている。
【００３２】
上ケース１１の光束通過用開口部１１１の上方となる上面１０ａには、レンズカバー２をスライド移動させる際に把持する把持部３０２を露出させ、スライド移動を可能とするスライド用開口部１１２を備えている。また、スライド用開口部１１２の後方には、投射レンズ１５に設置されるフォーカスレバー１６やズームレバー１７を露出させ、投射画像のフォーカス調整やサイズ調整を可能とする調整用開口部１１３を備えている。また、上ケース１１の上面１０ａには、操作入力を行うスイッチ部（図示省略）を備えている。
【００３３】
図示省略するが、筐体１０の後面には、電源端子を含む接続端子群等を備えている。電源端子は、電源ケーブルを接続することで、プロジェクター１に外部からＡＣ１００Ｖ等の商用電源を供給する。接続端子群には、電源端子以外に、外部機器と接続ケーブルを介して接続される複数の接続端子が設置されている。また、筐体１０（下ケース１２）の下面１０ｂには、プロジェクター本体を支える３つの脚部（図示省略）が設置されている。脚部は、前面１０ｃ側に１つ、後面側に２つ備えている。
【００３４】
図２は、レンズカバー２を示す斜視図であり、図２（ａ）は、レンズカバー２を筐体１０の前面１０ｃ側から見た斜視図であり、図２（ｂ）は、レンズカバー２を筐体１０の後面側から見た斜視図である。なお、図２は、レンズカバー２が閉塞状態である場合を示している。
【００３５】
図３、図４は、レンズカバー２を示す分解斜視図であり、図３は、レンズカバー２を筐体１０の前面１０ｃ側から見た分解斜視図であり、図４は、レンズカバー２を筐体１０の後面側から見た分解斜視図である。
【００３６】
図５は、レンズカバー２が筐体１０に設置された状態を示す斜視図である。図５は、筐体１０（上ケース１１）の内部の下方から前面１０ｃ側を見た斜視図である。図５では、上ケース１１とレンズカバー２のみを示しており、投射レンズ１５等の光学系は省略している。また、図５は、レンズカバー２が開口状態の場合を示している。図２から図５を参照して、レンズカバー２の構造を説明する。
【００３７】
図３、図４に示すように、レンズカバー２は、スライド移動を行うレンズカバー部材３と、レンズカバー部材３のスライド移動を案内する案内部材５とを備えて構成されている。レンズカバー部材３は、案内部材５に案内されて、スライド移動を行い、光束通過用開口部１１１を、開口状態と閉塞状態とにする。
【００３８】
案内部材５は、概矩形状の板状に形成される案内部材本体５００を有している。案内部材本体５００の右方向（＋Ｘ方向）には、開口部５０１が形成されている。開口部５０１は、投射レンズ１５の外形と略同心円状で、投射レンズ１５の先端部と上ケース１１の光束通過用開口部１１１との隙間を補完するように、案内部材本体５００の後面５００ｂから−Ｚ方向に突出して形成されている。
【００３９】
この開口部５０１により、レンズカバー部材３が開口状態の場合に、外観上の見栄えを保持し、また、筐体１０内部の塵埃が投射レンズ１５の先端部に付着することを防止している。投射レンズ１５から射出された画像光は、開口部５０１および光束通過用開口部１１１を通過してスクリーン等に投射される。
【００４０】
案内部材本体５００の上部で、中央から左方向（−Ｘ方向）にかけて、２つの板状ばね５０２，５０３が一体に形成されている。なお、案内部材５は、合成樹脂部材で形成されており、この板状ばね５０２，５０３は、合成樹脂部材のばねとして一体に成形される。また、板状ばね５０２，５０３は、スライド移動の方向（Ｘ軸方向）に沿って設けられている。板状ばね５０２，５０３は、後述するレンズカバー部材３の係合部３０６と係合する動作を行う。
【００４１】
ここで、図３に示すように、案内部材本体５００の前面５００ａに向かって、左方向の板状ばねを５０２とし、右方向の板状ばねを５０３とする。なお、板状ばね５０２は、図４に示すように、板状部５０２ａと、プロジェクター本体の内側（−Ｚ方向）に突出する凸部５０２ｂとを有して構成されている。同様に、板状ばね５０３も、板状部５０３ａと、プロジェクター本体の内側（−Ｚ方向）に突出する凸部５０３ｂとを有して構成されている。
【００４２】
また、板状ばね５０２は、板状部５０２ａの右端部を基軸として可撓性を有するばね動作を行う。また、板状ばね５０３は、板状部５０３ａの左端部を基軸として可撓性を有するばね動作を行う。板状ばね５０２，５０３の具体的な動作に関しては後述する。
【００４３】
案内部材本体５００において、上部右方向には、スライド移動の方向（Ｘ軸方向）に平行となる一方の側部５０４に沿うように、平板状で、後面５００ｂ側（−Ｚ方向）に所定の角度で傾斜して設置されるスライド保持部５０５が形成されている。この傾斜角度は、上ケース１１の内面側に沿った傾斜角度となっている。また、スライド保持部５０５には、図３に示すように、一方の側部５０４に沿って、下方向（−Ｙ方向）に溝状となる溝部としてのスライド用溝部５０６が形成されている。スライド用溝部５０６は、後述するレンズカバー部材３のスライド用片部３０５を沿わせて、レンズカバー部材３をスライド移動させる。
【００４４】
また、スライド保持部５０５には、スライド用溝部５０６の右端部に、前後方向で上方向に突出する当接部５０７が形成されている。当接部５０７は、後述するレンズカバー部材３が閉塞状態の場合にレンズカバー部材３の傾斜面部３０１の右端部と当接してレンズカバー部材３の右方向への移動を止める。
【００４５】
案内部材本体５００において、一方の側部５０４に対向する他方の側部５０９に沿って、平板状で、前方向（＋Ｚ方向）に突出する面部としての保持面部５１０が形成されている。保持面部５１０は、後述するレンズカバー部材３の側部３１０を案内して、レンズカバー部材３をスライド移動させる。保持面部５１０の前側端部の略中央には、上方向に突出する突起部５１２が形成されている。
【００４６】
案内部材本体５００の前面５００ａにおいて、保持面部５１０の上方向には、保持面部５１０に略平行でスライド移動の方向に沿って前方向（＋Ｚ方向）に突出する突起部５１３が形成されている。突起部５１２と突起部５１３とは、レンズカバー部材３がスライド移動する際に、前後方向（Ｚ方向）を案内すると共に案内部材５との隙間を詰める働きをする。詳細は後述する。
【００４７】
案内部材本体５００の左右端部には、ネジ挿通孔を有した固定部５２０が形成されている。固定部５２０は、図５に示すように、レンズカバー部材３を保持した状態で、ネジＳＣ１により上ケース１１に固定される。
【００４８】
図２、図３に示すように、案内部材本体５００の左方向の略中央には、スライド移動の方向に略平行で溝状に形成されるスイッチ用溝部５２２を有している。スイッチ用溝部５２２は、レンズカバー部材３に形成されるスイッチ用片部３０９が移動する際、スイッチ用片部３０９を逃げる部分である。
【００４９】
案内部材本体５００の後面５００ｂには、図２（ｂ）、図４に示すように、スイッチ用溝部５２２の左端部の下方向に、後述するスイッチ部材７を固定するスイッチ固定部５２４が形成されている。また、後面５００ｂには、下ケース１２に案内部材５を固定する際にネジ固定される固定部５２６が形成されている。
【００５０】
レンズカバー部材３は、図２（ａ）、図３に示すように、概矩形状の板状に形成されるカバー部材本体３００を有している。カバー部材本体３００の前面３００ａは略平坦な面となっている。カバー部材本体３００の上部には、案内部材５のスライド保持部５０５に平行に伸びる傾斜面部３０１が形成されている。傾斜面部３０１の右端部には、左右方向で上方に突出する把持部３０２が形成されている。把持部３０２は、レンズカバー部材３をスライド移動させる際に、ユーザーが把持してスライドさせる部分である。
【００５１】
傾斜面部３０１の右端部の下面側には、図４に示すように、下方向（−Ｙ方向）に突出する片部としてのスライド用片部３０５が形成されている。スライド用片部３０５は、案内部材５のスライド用溝部５０６に添って移動する。
【００５２】
傾斜面部３０１の左端部で、カバー部材本体３００と接続する部分の近傍には、図２（ｂ）、図３、図４に示すように、カバー部材本体３００の後面３００ｂから所定の距離を離間させて、傾斜面部３０１の下面から下方向（−Ｙ方向）に突出する係合部３０６が１つ形成されている。係合部３０６は、案内部材５の板状ばね５０２，５０３に係合する。詳細は後述する。
【００５３】
係合部３０６は、図２（ｂ）、図３、図４に示すように、板状部３０６ａと係合凸部３０６ｂとを有して構成されている。係合凸部３０６ｂは、図３に示すように、カバー部材本体３００の後面３００ｂに対向する板状部３０６ａの面上で、後面３００ｂ方向（＋Ｚ方向）に突出し、上下方向に延びて形成されている。
【００５４】
カバー部材本体３００の後面３００ｂには、図４に示すように、後方向（−Ｚ方向）に突出する突起部３０８が形成されている。また、後面３００ｂの左端部の略中央には、−Ｚ方向に突出して左方向に延出するスイッチ用片部３０９が形成されている。このスイッチ用片部３０９は、図５に示すように、スイッチ用溝部５２２に沿って移動し、スイッチ部材７に当接（または当接解除）して、スイッチ部材７をＯＮ/ＯＦＦさせる。
【００５５】
レンズカバー部材３の下方向の側部３１０で、左右端部の後面３００ｂには、図２（ａ）、図４に示すように、−Ｚ方向に突出する突起部３１２が形成されている。
【００５６】
レンズカバー２の組み立ては、図３、図４に示すように、レンズカバー部材３の右端部を、案内部材５の左端部から案内部材５に挿入することにより組み立てことができる。具体的には、レンズカバー部材３の下方向の側部３１０を、案内部材５の保持面部５１０に載せ、レンズカバー部材３の傾斜面部３０１の下面を案内部材５の側部５０４に載るように位置させ、右方向（＋Ｘ方向）に移動させることにより挿入する。このように、スライド移動の方向にレンズカバー部材３を挿入することで、案内部材５にレンズカバー部材３を設置することができ、レンズカバー２の組み立てが容易となっている。
【００５７】
レンズカバー部材３を案内部材５に挿入した場合、レンズカバー部材３の係合部３０６は、板状ばね５０２，５０３に対して内側（後方向（−Ｚ方向））に位置する状態となる。また、この組み立てにより、案内部材５は、レンズカバー部材３よりも内側（後方向（−Ｚ方向））で、レンズカバー部材３と一定の隙間を有して重なるように設置される。
【００５８】
また、レンズカバー２を組み立てた後、レンズカバー２を上ケース１１へ設置する。詳細には、図５に示すように、上ケース１１の内面側に設置される２つの固定部１１５に、案内部材５の固定部５２０を位置させて、ネジＳＣ１により固定する。この設置により、レンズカバー２は、上ケース１１の内面側に固定される。また、下ケース１２を上ケース１１に組む際に、案内部材５の固定部５２６を、図示省略する下ケース１２の固定部に位置させ、下ケース１２の固定部を挿通させたネジにより固定部５２６を固定することで、レンズカバー２が下ケース１２に固定される。
【００５９】
図６は、レンズカバー２（レンズカバー部材３）のスライド移動の状態を示す正面図であり、図６（ａ）は、レンズカバー２（レンズカバー部材３）が閉塞した状態（閉塞状態）を示す正面図であり、図６（ｂ）は、レンズカバー２（レンズカバー部材３）がスライド移動する状態を示す正面図であり、図６（ｃ）は、レンズカバー２（レンズカバー部材３）が開口した状態（開口状態）を示す正面図である。
【００６０】
図７は、レンズカバー部材３のスライド移動を説明する図であり、図７（ａ）は平面図であり、図７（ｂ）は上面図であり、図７（ｃ）は側断面図である。なお、図７（ｃ）は図７（ｂ）のＡ-Ａ断面である。
【００６１】
図８は、案内部材５の板状ばね５０２にレンズカバー部材３の係合部３０６が係合する状態を示す図であり、図８（ａ）は正面図であり、図８（ｂ）は平断面図であり、図８（ｃ）は側断面図である。なお、図８（ｂ）は図８（ａ）のＢ-Ｂ断面であり、図８（ｃ）は図８（ａ）のＣ-Ｃ断面である。
【００６２】
図６（ａ）に示すように、本実施形態では、レンズカバー部材３の傾斜面部３０１の右端部が当接部５０７に当接した状態となった場合が、閉塞状態となる。閉塞状態では、案内部材５の開口部５０１をカバー部材本体３００が覆う状態となる。閉塞状態では、投射レンズ１５の先端部を覆い、筐体１０（上ケース１１）の光束通過用開口部１１１も覆う状態となる。レンズカバー２を閉塞状態とすることにより、投射レンズ１５への塵埃の付着や、投射レンズ１５が損傷を受けること等に対して保護することができる。
【００６３】
閉塞状態とさせるには、係合部３０６が左方向から右側の板状ばね５０３と係合し、係合凸部３０６ｂが凸部５０３ｂを乗り越えてスライド移動することが必要となる。乗り越える場合には、板状ばね５０３（凸部５０３ｂ）を押圧するための力が、通常のスライド移動時に必要な力に比べて必要となる。この力により、把持部３０２を把持してスライド移動させるユーザーに対して、操作感（いわゆるクリック感）を与えることができる。
【００６４】
なお、更に右方向にスライド移動を行うことで、係合凸部３０６ｂが凸部５０３ｂを乗り越え、板状ばね５０３が押圧から解除され、係合部３０６と板状ばね５０３とが互いに接している状態で、傾斜面部３０１の右端部が当接部５０７に当接することにより、レンズカバー部材３は案内部材５に接触する。これにより、レンズカバー２は、閉塞状態を維持することができる。
【００６５】
図６（ｂ）に示すように、閉塞状態を解除する場合、ユーザーは把持部３０２を把持して、レンズカバー部材３を左方向にスライド移動させることが必要となる。なお、閉塞状態を解除する場合、最初に係合部３０６の係合凸部３０６ｂが板状ばね５０３の凸部５０３ｂを右方向から乗り越えることが必要となる。乗り越える動作は、前述の乗り越える動作と同様となる。
【００６６】
なお、この場合、係合凸部３０６ｂは、板状ばね５０３の先端側から押圧することになるが、凸部５０３ｂのテーパーにより、乗り越える動作に影響を与えない。なお、乗り越えた（閉塞状態を解除した）際には、クリック感をユーザーに与えることができる。また、乗り越えた状態では、滑らかにレンズカバー部材３をスライド移動させることができる。
【００６７】
ここで、図７を参照して、レンズカバー部材３と案内部材５との構造的な兼ね合いからスライド移動を説明する。
図７（ｃ）に示すように、レンズカバー２が組み立てられた場合、レンズカバー部材３のスライド用片部３０５が案内部材５のスライド用溝部５０６に挿入された状態となる。また、レンズカバー部材３の下端部となる側部３１０が、案内部材５の保持面部５１０に沿った状態となる。
【００６８】
これにより、ユーザーが把持部３０２を把持してレンズカバー部材３をスライド移動させた場合、スライド用片部３０５はスライド用溝部５０６に沿って移動（摺動）する。また同時に、レンズカバー部材３の側部３１０が、保持面部５１０を移動（摺動）する。この動作により、レンズカバー部材３が案内部材５に対してスライド移動を行う。
【００６９】
なお、この場合、図７（ｃ）に示すように、レンズカバー部材３は、案内部材５の突起部５１３と突起部５１２とにより、前後方向（Ｚ軸方向）を挟まれる状態で、スライド移動を行う。また、レンズカバー部材３は、レンズカバー部材３のスライド用片部３０５と突起部３０８（図８（ｃ）参照）とにより、案内部材５の前後方向（Ｚ軸方向）を挟む状態で、スライド移動を行う。これにより、レンズカバー部材３は、案内部材５に対して、前後方向（Ｚ軸方向）のガタツキを抑制し、スライド移動を行うことができる。
【００７０】
また、図７（ｃ）に示すように、レンズカバー部材３の２つの突起部３１２は、案内部材５の保持面部５１０と、その上部に形成される突起部５１３との間に挟まれる状態となっている。これにより、レンズカバー部材３は、案内部材５に対して、上下方向（Ｙ軸方向）のガタツキを抑制し、スライド移動を行うことができる。
以上により、レンズカバー部材３は、案内部材５に対し、安定して滑らかに左右方向（Ｘ軸方向）にスライド移動を行うことができる。
【００７１】
図６（ｂ）に示すスライド移動を行い、本実施形態では、図５に示すように、レンズカバー部材３の傾斜面部３０１の左端部が、上ケース１１の左方向（−Ｘ方向）の固定部１１５を構成する当接部１１６に当接した状態となった場合が、開口状態となる。図６（ｃ）では、開口状態となった場合のレンズカバー２のみを示している。開口状態では、図６（ｃ）に示すように、案内部材５の開口部５０１を、カバー部材本体３００が開口（露出）させる状態となる。
【００７２】
開口状態では、投射レンズ１５の先端部を露出させ、筐体１０（上ケース１１）の光束通過用開口部１１１も開口させる状態となる。レンズカバー２を開口状態とすることにより、投射レンズ１５から射出される画像光を、開口部５０１および光束通過用開口部１１１を通過させ、スクリーン等の投射面に投射させることができる。
【００７３】
開口状態とさせるには、係合部３０６が右方向から左側の板状ばね５０２と係合し、係合凸部３０６ｂが凸部５０２ｂを乗り越えてスライド移動することが必要となる。乗り越える場合には、上述した係合部３０６が右側の板状ばね５０３と係合して乗り越える場合と同様となる。そして、乗り越える場合に、ユーザーに対して、上述したと同様に、操作感（クリック感）を与えることができる。
【００７４】
ここで、図８を参照して、係合部３０６が板状ばね５０２と係合する状態を詳細に説明する。
図８は、係合部３０６（係合凸部３０６ｂ）が板状ばね５０２（凸部５０２ｂ）を押圧した状態を示している。詳細には、係合部３０６は、右方向からスライド移動して、係合凸部３０６ｂが、凸部５０２ｂを押圧しながら凸部５０２ｂの頂部に位置する。この状態を図８は示している。
【００７５】
係合部３０６は、板状ばね５０２に比べて剛性を有しているため、係合凸部３０６ｂが凸部５０２ｂを押圧することにより、図８（ｂ），（ｃ）に示すように、板状ばね５０２は、前方向（＋Ｚ方向）に撓む。なお、板状ばね５０２が、前方向（＋Ｚ方向）に撓んだ場合、板状ばね５０２の先端部は、レンズカバー部材３の後面３００ｂとは当接せず離間しているため、スライド移動には影響を与えない。
【００７６】
なお、係合部３０６（係合凸部３０６ｂ）が、板状ばね５０２（凸部５０２ｂ）を押圧する場合、板状ばね５０２の周囲の案内部材本体５００も間接的に押されることにより、外側（前側（＋Ｚ方向））に移動することが考えられるが、スライド用片部３０５とスライド用溝部５０６、突起部３０８，５１２，５１３等により、Ｚ軸方向の移動は抑制される。これは、係合部３０６（係合凸部３０６ｂ）が、板状ばね５０３（凸部５０３ｂ）を押圧する場合も同様となる。これにより、係合凸部３０６ｂが、凸部５０２ｂや凸部５０３ｂを乗り越える際の、クリック感を確実に確保することができる。
【００７７】
この状態から、更に左方向にスライド移動を行うことで、係合凸部３０６ｂが凸部５０２ｂを乗り越え、板状ばね５０２が押圧から解除され、係合部３０６と板状ばね５０２とが互いに接している状態で、傾斜面部３０１の左端部が上ケース１１（固定部１１５）の当接部１１６に当接することにより、レンズカバー部材３は案内部材５と当接部１１６とに接触する。これにより、レンズカバー２は、開口状態を維持することができる。
【００７８】
なお、板状ばね５０２は、係合部３０６の係合から解除された場合、板状ばね５０２の有する可撓性により元の状態（位置）に戻る。これは、上述した板状ばね５０３も同様となる。
【００７９】
また、開口状態では、図５に示すように、レンズカバー部材３のスイッチ用片部３０９が、案内部材５に固定されるスイッチ部材７に当接する状態となる。スイッチ用片部３０９は、開口状態と開口状態の解除された状態とで、スイッチ部材７と当接（例えばＯＮ）、または当接解除（例えばＯＦＦ）の動作を行う。この動作により、スイッチ部材７は、プロジェクター１の制御部（図示省略）に、レンズカバー２が、開口状態か、それ以外（閉塞状態を含め）か、を伝達する。
【００８０】
なお、開口状態を解除する場合、ユーザーは把持部３０２を把持して、レンズカバー部材３を右方向にスライド移動させることが必要となる。なお、開口状態を解除する場合、最初に係合部３０６の係合凸部３０６ｂが板状ばね５０２の凸部５０２ｂを左方向から乗り越えることが必要となる。乗り越える動作は、前述の乗り越える動作と同様となる。
【００８１】
この場合、係合凸部３０６ｂは、板状ばね５０２の先端側から押圧することになるが、凸部５０２ｂのテーパーにより、乗り越える動作に影響を与えない。なお、乗り越えた（開口状態を解除した）際には、クリック感をユーザーに与えることができる。また、乗り越えた状態では、滑らかにレンズカバー部材３をスライド移動させることができる。
【００８２】
上述した実施形態によれば、以下の効果が得られる。
本実施形態のプロジェクター１において、レンズカバー２は、光束通過用開口部１１１を、開口状態と閉塞状態とにするレンズカバー部材３と、レンズカバー部材３のスライド移動を案内する案内部材５と、を備えている。また、案内部材５に、スライド移動の方向に沿って設ける板状ばね５０２，５０３を備えることにより、簡易な構成で小型化が可能なレンズカバー２を実現できる。また、板状ばね５０２，５０３が、スライド移動の方向に沿って設けられるため、案内部材５が板状ばねを備えていても薄型化できることで、レンズカバー２の薄型化を図ることができる。そして、レンズカバー部材３に、開口状態および閉塞状態で板状ばね５０２，５０３に係合する係合部３０６を備えることにより、簡易な構成で操作性を確保できるレンズカバー２を実現できる。
【００８３】
本実施形態のプロジェクター１において、２つの板状ばね５０２，５０３のそれぞれは、開口状態と閉塞状態とのいずれか一方の状態となる場合にのみ、係合部３０６と係合することになる。これにより、例えば、１つの板状ばねを使用して、開口状態と閉塞状態とになるたびに係合する構成に比べて、係合の回数を減らすことができる。従って、板状ばね５０２，５０３の耐久性を確保し易くなる。なお、本実施形態の板状ばね５０２，５０３は、合成樹脂部材で成形されているが、係合に対して耐久性を確保することができる。
【００８４】
本実施形態のプロジェクター１において、板状ばね５０２，５０３は、案内部材５に一体で形成されている。これにより、板状ばねを別途設ける必要がなく、板状ばね５０２，５０３を簡易に構成することができ、小型化・薄型化を図ることができる。
【００８５】
本実施形態のプロジェクター１において、案内部材５に設置される板状ばね５０２，５０３の凸部５０２ｂ，５０３ｂに、レンズカバー部材３に設置される係合部３０６の係合凸部３０６ｂが係合する。この構成により、板状ばね５０２，５０３と係合部３０６とを簡易な構成とすることができると共に小型化・薄型化を図ることができる。併せて、案内部材５は、レンズカバー部材３よりも内側で、レンズカバー部材３と一定の隙間を有して重なるように設置されることにより、レンズカバー２の薄型化を図ることができる。また、係合部３０６は、板状ばね５０２，５０３よりも内側となるようにレンズカバー部材３に設置されることで、筐体１０の内側から板状ばね５０２，５０３に係合するため、係合部３０６と板状ばね５０２，５０３とが係合する際に、係合部３０６に押されてレンズカバー部材３が外側へ移動し易くなることを抑制することができる。
【００８６】
本実施形態のプロジェクター１において、レンズカバー部材３は、スライド移動する際に把持される把持部３０２を備え、筐体１０（上ケース１１）は、把持部３０２を露出させてスライド移動を可能とするスライド用開口部１１２を備えている。これにより、ユーザーは、把持部３０２を把持してレンズカバー部材３を開口状態と閉塞状態とにするためのスライド操作を容易に行うことができる。
【００８７】
本実施形態のプロジェクター１において、レンズカバー部材３および案内部材５は、案内部材５とレンズカバー部材３との隙間を詰める突起部３０８，５１２，５１３等を有している。これにより、板状ばね５０２，５０３と係合部３０６とが係合する際に、係合部３０６に押されて案内部材５が外側（＋Ｚ方向）へ移動し易くなることを抑制することができるため、レンズカバー２の操作性、特に、係合する際の操作感（クリック感）を向上させることができる。
【００８８】
本実施形態のプロジェクター１において、レンズカバー部材３は、案内部材５のスライド用溝部５０６にスライド用片部３０５が案内され、保持面部５１０に側部３１０が案内されるという簡易な構成により、スライド移動を行うことができる。
【００８９】
本実施形態のプロジェクター１によれば、レンズカバー部材３は、開口状態では、上ケース１１に設置される当接部１１６に当接して、係合部３０６と一方の板状ばね５０２とで開口状態を維持する。また、閉塞状態では、案内部材５に設置される当接部５０７に当接して、係合部３０６と他方の板状ばね５０３とで閉塞状態を維持する。これにより、レンズカバー部材３が開口状態と閉塞状態とを維持することを簡易な構成で実現することができる。
【００９０】
本実施形態のプロジェクター１において、案内部材５には、スイッチ部材７が設置され、レンズカバー部材３には、スイッチ部材７と当接するスイッチ用片部３０９が備えられている。これにより、レンズカバー部材３をスライド移動させることにより、スイッチ用片部３０９をスイッチ部材７に確実に当接させること、または、確実に当接を解除させることができる。これにより、例えば、開口状態と、閉塞状態を含む開口状態以外の状態と、を確実に検出することができる。または、開口状態と閉塞状態とを確実に検出することができる。これにより、プロジェクター１は、例えば、開口状態を検出した場合に、光源装置を点灯させることや、開口状態ではない状態では、光源装置を消灯させること等を、誤動作を防止して行うことができる。
【００９１】
なお、上述した実施形態に限定されず、その要旨を逸脱しない範囲において種々の変更や改良等を加えて実施することが可能である。変形例を以下に述べる。
【００９２】
前記実施形態のレンズカバー２は、案内部材５に板状ばね５０２，５０３を備え、レンズカバー部材３に係合部３０６を備えている。しかし、これに限定されず、案内部材５に係合部を備え、レンズカバー部材３に板状ばねを備える構成であってもよい。
【００９３】
前記実施形態の案内部材５に備える板状ばね５０２，５０３は、案内部材５に一体に形成されている。しかし、これに限定されず、例えば、薄い金属板を用いて板状ばねを形成し、その板状ばねを案内部材５に熱カシメ等により設置することでもよい。
【符号の説明】
【００９４】
１…プロジェクター、２…レンズカバー、３…レンズカバー部材、５…案内部材、７…スイッチ部材、１０…筐体、１１…上ケース、１５…投射レンズ、１１１…光束通過用開口部、１１２…スライド用開口部、１１６…当接部、３０２…把持部、３０５…スライド用片部、３０６…係合部、３０６ｂ…係合凸部、３０８…突起部、３０９…スイッチ用片部、５０２，５０３…板状ばね、５０２ｂ，５０３ｂ…凸部、５０４…側部、５０６…スライド用溝部、５０７…当接部、５０９…側部、５１０…保持面部、５１２，５１３…突起部。
【図１】
2014186202.tif 000003
【図２】
2014186202.tif 000004
【図３】
2014186202.tif 000005
【図４】
2014186202.tif 000006
【図５】
2014186202.tif 000007
【図６】
2014186202.tif 000008
【図７】
2014186202.tif 000009
【図８】
2014186202.tif 000010